(57)【要約】【課題】限られたスペースを有効に利用して装飾効果を高めることができるとともに、設計変更が容易な遊技機を提供することを目的とする。【解決手段】  本発明に係る遊技機は、所定の音を発するスピーカ６ａ，６ｂと、スピーカ６ａ，６ｂの前面を覆うようにして着脱可能に取り付けられた装飾ユニット１００とを備え、装飾ユニット１００は、所定の光を発光するＬＥＤ９２を有するＬＥＤ基板９０ａ，９０ｂ，９０ｃ、ＬＥＤ９２を覆うＬＥＤカバー７０およびスピーカ６ａ，６ｂを覆うスピーカカバー６０ａ，６０ｂとを含むことを特徴とする。【選択図】      図４
2006223464.tif 000002
【特許請求の範囲】
【請求項１】
所定の音を発するスピーカと、
前記スピーカの前面を覆うようにして着脱可能に取り付けられた装飾ユニットとを備え、
前記装飾ユニットは、所定の光を発光する発光体を有する発光基板、前記発光体を覆う発光体カバーおよび前記スピーカを覆うスピーカカバーとを含む、
ことを特徴とする遊技機。
【請求項２】
前記発光体は、前記発光体カバーに向けて前記所定の光を発光し、
前記発光体カバーは、前記発光体からの所定の光を前記発光体カバーの表面側に導く導光性の部材で構成されている、  
ことを特徴とする請求項１記載の遊技機。
【請求項３】
前記発光体は、前記スピーカカバーに向けて前記所定の光を発光し、
前記スピーカカバーは、前記発光体からの所定の光を前記発光体カバーの表面側に導く導光性の部材で構成されている、
ことを特徴とする請求項１または２に記載の遊技機。
【請求項４】
前記発光体の正面位置には、前記スピーカカバーの少なくとも一部と、前記発光体カバーとが重なるようにして配置されていることを特徴とする請求項１〜３の何れか一項に記載の遊技機。
【請求項５】
前記スピーカカバーは、前記装飾ユニットに着脱可能に取り付けられていることを特徴とする請求項１〜４の何れか一項に記載の遊技機。
【発明の詳細な説明】
【技術分野】
【０００１】
本発明は、遊技機に関し、特に遊技状態に応じて音を発するスピーカを備えた遊技機に関するものである。
【背景技術】
【０００２】
従来より、遊技機枠の装飾を施すため、遊技機枠にＬＥＤやランプなどの装飾部材を備えた遊技機が知られている。そして、ランプカバーとランプ基板とを結合させたランプユニットを、遊技機枠の前面に着脱可能に取り付けた遊技機も知られている（例えば、特許文献１）。
【０００３】
このように従来の遊技機においては、装飾性の高い装飾部材を配置することにより装飾効果の向上を図っていた。
【特許文献１】特開２００１−３７９６０号公報
【発明の開示】
【発明が解決しようとする課題】
【０００４】
しかしながら、近年の遊技機は、遊技機外部および内部からの制約から、装飾部材を配置可能なスペースが限られる傾向にあった。
【０００５】
例えば、遊技機外部からの制約としては、ホール設備等との関係により遊技機枠の縦幅および横幅が制限されていることが挙げられる。これが装飾部材の配置スペースの圧迫につながっていた。
【０００６】
また、遊技機内部からの制約としては、遊技球が転動可能な遊技領域が、遊技内容の高度化に伴って拡大していることが挙げられる。これも装飾部材の配置スペースの圧迫につながっていた。
【０００７】
このように遊技機外部および内部からの制約によって装飾部材を配置可能なスペースが制限されるようになってきたため、近年の遊技機は、装飾性の高い装飾部材を配置することが困難となってきていた。
【０００８】
そのため、限られたスペースを有効に利用して装飾効果を高めることのできる遊技機の登場が望まれていた。
【０００９】
さらに、装飾効果を高めるに際しては流行性に富んだ装飾部材を柔軟に配置することができるか否かも重要な要素であるため、設計変更が容易であることが望ましい。
【００１０】
そこで、本発明は、限られたスペースを有効に利用して装飾効果を高めることができるとともに、設計変更が容易な遊技機を提供することを目的とする。
【課題を解決するための手段】
【００１１】
上記課題を解決するため、請求項１に記載の本発明の遊技機は、所定の音を発するスピーカ（スピーカ６ａ，６ｂ）と、スピーカの前面を覆うようにして着脱可能に取り付けられた装飾ユニット（装飾ユニット１００）とを備え、装飾ユニットは、所定の光を発光する発光体（ＬＥＤ９２）を有する発光基板（ＬＥＤ基板９０ａ，９０ｂ，９０ｃ）、発光体を覆う発光体カバー（ＬＥＤカバー７０）およびスピーカを覆うスピーカカバー（スピーカカバー６０ａ，６０ｂ）とを含むことを特徴とする。
【００１２】
このように、装飾部材である発光基板および発光体カバーと、スピーカを覆うスピーカカバーとを１つの装飾ユニットとしてまとめることにより、全体として統一感を持たせて装飾効果を高めることができる。
【００１３】
また、装飾性の低いスピーカの前面に、装飾効果の高い上記装飾ユニットを取り付けることにより、スピーカの前面の領域も利用して限られたスペースで有効に装飾効果を高めることができる。
【００１４】
さらに、上記装飾ユニットは着脱可能であるため、装飾部材の設計変更を容易に行うことができる。
【００１５】
請求項２に記載の本発明は、請求項１に記載の発明の構成に加えて、発光体は、発光体カバーに向けて所定の光を発光し、発光体カバーは、発光体からの所定の光を発光体カバーの表面側に導く導光性の部材で構成されていることを特徴とする。
【００１６】
このように、導光性の部材で構成された発光体カバーに向けて発光することにより発光体カバーを照らし出すこともできるので、装飾効果をより高めることができる。
【００１７】
請求項３に記載の本発明は、請求項１または２に記載の発明の構成に加えて、スピーカカバーに向けて所定の光を発光し、スピーカカバーは、発光体からの所定の光を発光体カバーの表面側に導く導光性の部材で構成されていることを特徴とする。
【００１８】
このように、導光性の部材で構成されたスピーカカバーに向けて発光することによりスピーカカバーを照らし出すことができるので、装飾効果をより高めることができる。
【００１９】
請求項４に記載の本発明は、請求項１〜３の何れか一項に記載の発明の構成に加えて、発光体の正面位置には、スピーカカバーの少なくとも一部と、発光体カバーとが重なるようにして配置されていることを特徴とする。
【００２０】
これにより、同一の発光体でスピーカカバーおよび発光体カバーの双方に向けて発光することができる。すなわち、一の発光体を兼用することができるので、限られたスペースを有効に利用して装飾効果を高めることができる。
【００２１】
また、スピーカカバー等に導光性部材を用いれば、その一部が発光された場合においても、当該発光をスピーカカバーの全体に行渡らせることもできるので、これによっても限られたスペースを有効に利用して装飾効果を高めることができる。
【００２２】
請求項５に記載の本発明は、請求項１〜４の何れか一項に記載の発明の構成に加えて、スピーカカバーは、装飾ユニットに着脱可能に取り付けられていることを特徴とする。
【００２３】
これにより、スピーカカバーと他の装飾部材とを個別に取り外して交換することができるので、装飾部材の設計変更がより容易となる。
【発明の効果】
【００２４】
本発明によれば以下の効果を奏することができる。
【００２５】
すなわち、本発明によれば、装飾部材である発光基板および発光体カバーと、スピーカを覆うスピーカカバーとを１つの装飾ユニットとしてまとめるているので、全体として統一感を持たせて装飾効果を高めることができる。
【００２６】
また、装飾性の低いスピーカの前面に、装飾効果の高い上記装飾ユニットを取り付けることにより、スピーカの前面の領域も利用して限られたスペースで有効に装飾効果を高めることができる。
【００２７】
さらに、上記装飾ユニットは着脱可能であるため、装飾部材の設計変更を容易に行うことができる。
【発明を実施するための最良の形態】
【００２８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２９】
図１は、本発明の一実施の形態である遊技機を示す斜視図、図２は図１に示す遊技機の分解斜視図、図３は本実施の形態の要部である装飾ユニットを示す斜視図、図４は図３に示す装飾ユニットの分解斜視図、図５は本実施の形態の装飾ユニットの裏面側を示す斜視図、図６は図５に示す装飾ユニット裏面側の分解斜視図、図７は本実施の形態のＬＥＤカバーの裏面側を示す斜視図、図８は本実施の形態のユニットベースの裏面側を示す斜視図、図９は本実施の形態のスピーカカバーを示す斜視図、図１０は図９のスピーカカバーの裏面側を示す斜視図、図１１は図７のＬＥＤカバーにスピーカカバーが取り付けられた状態を示す斜視図、図１２は図７のＬＥＤカバーにスピーカカバーおよびユニットベースが取り付けられた状態を示す斜視図、図１３は図１に係る装飾ユニットのＡ−Ａ線断面を示す説明図である。
【００３０】
図１および図２に示すように、パチンコ遊技機（遊技機）１は、遊技盤（図示せず）が装着される本体枠３ａがヒンジ３ｃを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３の本体枠３ａに対して、スピーカ６ａ，６ｂ、液晶表示装置（ＬＣＤ）４０、遊技盤を視認可能に被うガラス扉９、上皿部４、下皿部５、ハンドル７および装飾ユニット１００が取り付けられるようになっている。
【００３１】
ガラス扉９および上皿部４は一体化して形成されており、この一体化された開閉扉（開閉体）は、その一端が本体枠３ａに回動可能に軸支され、他端が本体枠３ａに係合するようになっている。
【００３２】
上皿部４はガラス扉９の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００３３】
上皿部４の下側に位置する下皿部５は、本体枠３ａに固定されており、払い出しにより上皿４ａからオーバーフローした遊技球が貯留される下皿５ａを有している。
【００３４】
下皿部５の右側に設けられたハンドル７は、レール（図示せず）を介して遊技盤の遊技領域へ遊技球を打ち込む際に回動操作されるものであり、遊技球の発射を停止させるストップボタン（図示せず）が設けられている。
【００３５】
液晶表示装置（ＬＣＤ）４０は、遊技機本体３内で、且つ遊技盤の背後に設けられ、遊技盤を通して視認可能になっており、演出画像（例えば、遊技状態に対応したアニメーションやその他の報知情報など。）等を表示可能な表示領域を備えている。
【００３６】
なお、上記液晶表示装置４０にかえて、例えばプラズマディスプレイ等の表示手段を用いてもよい。
【００３７】
スピーカ６ａ，６ｂは、本体枠３ａ上部の左右に固定されており、その前面が後述する装飾ユニット１００に覆われるようになっている。
【００３８】
このスピーカ６ａ，６ｂは、所定の音（例えば、遊技状態に対応した音楽やその他の報知情報など）を前方に向けて出力する機能を有している。
【００３９】
次に、図３〜１３を用いて本発明の要部である装飾ユニット１００について説明する。
【００４０】
図３は、本実施の形態の要部である装飾ユニットを示す斜視図であり、図４は図３に示す装飾ユニットの分解斜視図である。
【００４１】
装飾ユニット１００は、図３および図４に示すように、ＬＥＤ基板（発光体基板）９０ａ，９０ｂ，９０ｃが取り付けられた略長方形状のユニットベース８０に、同じように略長方形状のＬＥＤカバー（発光体カバー）７０と、上記スピーカ６ａ，６ｂの正面側を覆うスピーカカバー６０ａ，６０ｂとが重なるようにして取り付けられて構成されている。
【００４２】
また、ＬＥＤカバー（発光体カバー）７０およびユニットベース８０の左右両側には、円形状の通過孔７１，８１が形成されている。
【００４３】
装飾ユニット１００が本体枠３ａに取り付けられた場合、上記通過孔７１，８１は、上記スピーカ６ａ，６ｂの正面に位置するようになっており、当該スピーカ６ａ，６ｂから発せられた音を通過させるようになっている（図１３参照）。
【００４４】
ＬＥＤカバー７０前面側の略中央部分には、装飾部材７２を嵌め込むための嵌込孔７２ａが形成されている。ここで、装飾部材７２は、遊技機１を装飾するための部材である。装飾するための部材としては、例えば、企業マーク、その他の模様が施された部材が考えられ、上記嵌込孔７２ａに嵌め込まれることにより遊技機１の装飾効果が高まるようになっている。
【００４５】
ＬＥＤカバー７０裏面側の四隅および中央上部には、装飾ユニット１００を本体枠３ａに取り付るための取付部７５が設けられている（図５、図６および図７参照）。
【００４６】
当該取付部７５にはネジ孔が形成されており、ネジ等で本体枠３ａの表面側上部に固定されて取り付けられるようになっている。そして、この取付部７５を本体枠３ａの表面側上部に固定することにより、装飾ユニット１００が本体枠３ａに着脱可能に取り付けられるようになっている。但し、これに限定されず、装飾ユニット１００は、例えば、ピン等により固定されるようになっていてもよいし、接着により取り付けられるようになっていてもよい。
【００４７】
また、ＬＥＤカバー７０には、スピーカカバー６０ａ，６０ｂを係止させる係止部７３ａ，７３ｂが形成されている（図７参照）。ここで、係止部７３ａ，７３ｂは、後述する係止爪６２ａ，６２ｂ（図１０）をＬＥＤカバー７０の表面側から挿入させるための孔と、裏面方向に向って突出し、上記孔から挿入された係止爪６２ａ，６２ｂと係止する突出部とから構成されている。
【００４８】
さらに、ＬＥＤカバー７０には、後述するネジ止部６３（図１０）を表面側から挿入させるための挿入孔７４が形成されている（図７参照）。
【００４９】
次に、図４、図５、図６および図８を用いてユニットベース８０について説明する。
【００５０】
ユニットベース８０の裏面側には、所定の光を発光するＬＥＤ（発光体）９２を有するＬＥＤ基板９０ａ，９０ｂ，９０ｃが取り付けられるようになっている（図４、図５および図６参照）。
【００５１】
なお、本実施の形態において、ＬＥＤ基板９０ａ，９０ｂ，９０ｃは複数のＬＥＤ９２を有しているが、これに限られず一のＬＥＤのみが備え付けられていてもよい。
【００５２】
ユニットベース８０の両側に形成された通過孔８１の間、および当該通過孔８１の上方には、上記ＬＥＤ９２の発光を前方へ導くための通光孔８４ａ，８４ｂ，８４ｃ（図８参照）が形成され、ＬＥＤ基板９０ａ，９０ｂ，９０ｃは、この通光孔８４ａ，８４ｂ，８４ｃにＬＥＤ９２の搭載面側を向けてユニットベース８０の裏面側に取り付けられるようになっている。
【００５３】
ユニットベース８０の裏面側において、通光孔８４ｂ，８４ｃの左右両隣には係止爪８２ｂ，８２ｃがそれぞれ設けられており（図８参照）、ＬＥＤ基板９０ｂ，９０ｃは、それぞれの係止爪８２ｂ，８２ｃによって、図６に示すようにユニットベース８０の裏面側に取り付けられるようになっている。
【００５４】
また、ユニットベース８０の通光孔８４ａには、当該通光孔８４ａを３つに仕切る仕切り板８６が縦方向に延びている。当該仕切り板８６の略中央部分には、ＬＥＤ基板９０ａをネジ止めするネジ止孔８３が形成されている（図８参照）。
【００５５】
そのため、ＬＥＤ基板９０に形成されたネジ孔９１を介して上記ネジ止孔８３にネジを螺合することにより、ＬＥＤ基板９０ａをユニットベース８０の裏面側にネジ止めすることができる（図６参照）。
【００５６】
ユニットベース８０の四隅には、上記取付部７５を挿入させて本体枠３ａへ導く孔８７が形成されている（図４〜図６および図８参照）。
【００５７】
また、ＬＥＤ基板９０の中央上部には上記取付部７５を挿入させて本体枠３ａへ導く切り欠き９３が形成されている（図４および図５参照）。
【００５８】
上記孔８７および切り欠き９３に取付部７５を挿入することにより、当該取付部７５を本体枠３ａの表面側上部に取り付けることができる。
【００５９】
次に図９および図１０を用いてスピーカカバー６０ａ，６０ｂについて説明する。スピーカカバー６０ａ，６０ｂは翼状のデザインがあしらわれた左右一対のカバーであるが、いずれも構成は近似しているため、ここでは片側のスピーカカバー６０ａについて説明する。
【００６０】
図９は本実施の形態のスピーカカバーを示す斜視図である。
【００６１】
スピーカカバー６０ａには、スピーカ６ａより発せられる音を通過させるスリット状の通過孔６１が多数形成されている。
【００６２】
スピーカカバー６０ａの裏面側には、図１０に示すように、ＬＥＤカバー７０の係止部７３ａ，７３ｂ（図７）にそれぞれ係止される係止爪６２ａ，６２ｂ、およびＬＥＤカバー７０の挿入孔７４（図７）に挿入されるとともにユニットベース８０のネジ止孔８５（図８）を介してネジ止めされるネジ止部６３が設けられている。
【００６３】
スピーカカバー６０ａは、これら係止爪６２ａ，６２ｂおよびネジ止部６３により、装飾ユニット１００に着脱可能に取り付けられるようになっている（図１１および図１２参照）。
【００６４】
このように装飾ユニット１００は構成され、そして、これにより、図１３に示すように、ＬＥＤ９２の正面位置には、スピーカカバー６０ａ，６０ｂの少なくとも一部と、ＬＥＤカバー７０とが重なるようにして配置されるようになる。
【００６５】
ここで、本実施の形態において、スピーカカバー６０ａ，６０ｂおよびＬＥＤカバー７０は、ポリカーボネートやアクリル樹脂（ＰＭＭＡ）などの導光性の部材で構成されている。また、光を拡散しやすくなるように白色顔料等の拡散部材を含有させてもよい。
【００６６】
そのため、ＬＥＤ９２から発光された光は、図１３に示すように、スピーカカバー６０ａ，６０ｂおよびＬＥＤカバー７０の表面側に導かれ、結果としてスピーカカバー６０ａ，６０ｂおよびＬＥＤカバー７０が照らし出されるようになる。
【００６７】
なお、図１３において矢印２００はＬＥＤ９２から発光される光の流れを示しており、矢印３００は、スピーカ６ａ，６ｂから発せられる音の流れを示している。
【００６８】
ここで、上述したようにスピーカカバー６０ａ，６０ｂおよびＬＥＤカバー７０は導光性の部材で構成されているため、一部が発光された場合においても、当該発光を他の部位にも行渡らせることもできる（図１３の矢印２００参照）。そのため、スピーカカバー６０ａ，６０ｂの一部のみがＬＥＤ９２から発光されたとしてもスピーカカバー６０ａ，６０ｂの全体を光らせることもできる。
【００６９】
これにより、スピーカ６ａ，６ｂの正面にＬＥＤ９２を配置しなくともスピーカカバー６０ａ，６０ｂを光らせることができるので、スピーカから発せられる音声を阻害することなく装飾効果の向上を図ることができる。
【００７０】
なお、スピーカカバー６０ａ，６０ｂおよびＬＥＤカバー７０は、透明性を有する部材で構成されていてもよい。
【００７１】
以上、本発明の実施の形態を説明したが、これは本発明を具体的に例示したに過ぎず、特に本発明を限定するものではない。
【００７２】
また、本実施の形態において、発光体としてＬＥＤ（発光ダイオード）を用いていたが、これに限られず、発光することが可能な部材であればよい。
【００７３】
このように、本実施の形態によれば、装飾部材であるＬＥＤ基板９０ａ，９０ｂ，９０ｃおよびＬＥＤカバー７０と、スピーカ６ａ，６ｂを覆うスピーカカバー６０ａ，６０ｂとを１つの装飾ユニット１００としてまとめるているので、全体として統一感を持たせて装飾効果を高めることができる。
【００７４】
また、装飾性の低いスピーカ６ａ，６ｂの前面に、装飾効果の高い上記装飾ユニット１００を取り付けることにより、スピーカ６ａ，６ｂの前面の領域も利用して限られたスペースで有効に装飾効果を高めることができる。
【００７５】
さらに、上記装飾ユニット１００は着脱可能であるため、装飾部材の設計変更を容易に行うことができる。
【００７６】
また、本実施の形態によれば、導光性の部材で構成されたＬＥＤカバー７０に向けてＬＥＤ９２が発光することにより、ＬＥＤカバー７０を照らし出すこともできるので、装飾効果をより高めることができる。
【００７７】
さらに、本実施の形態によれば、導光性の部材で構成されたスピーカカバー６０ａ，６０ｂに向けてＬＥＤ９２が発光することにより、スピーカカバー６０ａ，６０ｂを照らし出すこともできるので、装飾効果をより高めることができる。
【００７８】
また、本実施の形態によれば、ＬＥＤ９２の正面位置には、スピーカカバー６０ａ，６０ｂの少なくとも一部と、ＬＥＤカバー７０とが重なるようにして配置されるようになっているので、同一のＬＥＤ９２でスピーカカバー６０ａ，６０ｂおよびＬＥＤカバー７０の双方に向けて発光することができる。すなわち、一のＬＥＤを兼用することができるので、限られたスペースを有効に利用して装飾効果を高めることができる。
【００７９】
また、スピーカカバー６０ａ，６０ｂ等に導光性部材を用いれば、その一部が発光された場合においても、当該発光をスピーカカバー６０ａ，６０ｂの全体に行渡らせることもできるので、これによっても限られたスペースを有効に利用して装飾効果を高めることができる。
【００８０】
さらに、本実施の形態によれば、スピーカカバー６０ａ，６０ｂは、装飾ユニット１００に着脱可能に取り付けられるようになっているので、スピーカカバー６０ａ，６０ｂと他の装飾部材とを個別に取り外して交換することができ、装飾部材の設計変更がより容易となる。
【産業上の利用可能性】
【００８１】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【００８２】
【図１】本発明の一実施の形態である遊技機を示す斜視図である。
【図２】図１に示す遊技機の分解斜視図である。
【図３】本実施の形態の要部である装飾ユニットを示す斜視図である。
【図４】図３に示す装飾ユニットの分解斜視図である。
【図５】本実施の形態の装飾ユニットの裏面側を示す斜視図である。
【図６】図５に示す装飾ユニット裏面側の分解斜視図である。
【図７】本実施の形態のＬＥＤカバーの裏面側を示す斜視図である。
【図８】本実施の形態のユニットベースの裏面側を示す斜視図である。
【図９】本実施の形態のスピーカカバーを示す斜視図である。
【図１０】図９のスピーカカバーの裏面側を示す斜視図である。
【図１１】図７のＬＥＤカバーにスピーカカバーが取り付けられた状態を示す斜視図である。
【図１２】図７のＬＥＤカバーにスピーカカバーおよびユニットベースが取り付けられた状態を示す斜視図である。
【図１３】図１に係る装飾ユニットのＡ−Ａ線断面を示す説明図である。
【符号の説明】
【００８３】
１  パチンコ遊技機（遊技機）
３  遊技機本体
３ａ  本体枠
３ｂ  ベース枠
３ｃ  ヒンジ
４  上皿部
４ａ  上皿
５  下皿部
５ｂ  下皿
６ａ，６ｂ  スピーカ
７  発射ハンドル
９  ガラス扉
１０  シャッタレバー
４０  液晶表示装置（ＬＣＤ）
６０ａ，６０ｂ  スピーカカバー
６１  通過孔
６２ａ，６２ｂ  係止爪
６３  ネジ止部
７０  ＬＥＤカバー（発光体カバー）
７１  通過孔
７２  装飾部材
７２ａ  嵌込孔
７３ａ，７３ｂ  係止部
７４  挿入孔
７５  取付部
８０  ユニットベース
８１  通過孔
８２ｂ，８２ｃ  係止爪
８３，８５  ネジ止孔
８４ａ，８４ｂ，８４ｃ  通光孔
８６  仕切り板
８７  孔
９０ａ，９０ｂ，９０ｃ  ＬＥＤ基板（発光体基板）
９１  ネジ孔
９２  ＬＥＤ（発光体）
９３  切り欠き
１００  装飾ユニット
２００  矢印
３００  矢印
【図１】
2006223464.tif 000003
【図２】
2006223464.tif 000004
【図３】
2006223464.tif 000005
【図４】
2006223464.tif 000006
【図５】
2006223464.tif 000007
【図６】
2006223464.tif 000008
【図７】
2006223464.tif 000009
【図８】
2006223464.tif 000010
【図９】
2006223464.tif 000011
【図１０】
2006223464.tif 000012
【図１１】
2006223464.tif 000013
【図１２】
2006223464.tif 000014
【図１３】
2006223464.tif 000015